(57)【要約】      （修正有）【課題】長時間の装用の際に、鼻の皮膚に接触跡が付くことがなく、装用感にすぐれ、外観上も違和感のないメガネの鼻当て部のクッション材を提供する。【解決手段】スポンジ状の軟質樹脂を素材とし、長径が１２〜２０ｍｍ、短径が５〜１０ｍｍの略楕円形の平面形状をなし、長径方向の両端縁２における肉厚Ｃが１〜２ｍｍ、長径方向中央３の肉厚Ｄが１．２〜２．６ｍｍになる様に、長径方向の端縁から中央に向かって表面側が曲線状に盛り上がっていると共に、裏面には粘着層４が形成されており、メガネの鼻当て部の表面に着脱自在に取り付ける。【選択図】図５
0003202187.tif 000002
【実用新案登録請求の範囲】
【請求項１】
スポンジ状の軟質樹脂を素材とし、長径が１２〜２０ｍｍ、短径が５〜１０ｍｍの略楕円形の平面形状をなし、長径方向の両端縁における肉厚が１〜２ｍｍ、長径方向中央の肉厚が１．２〜２．６ｍｍになる様に、長径方向の端縁から中央に向かって表面側が曲線状に盛り上がっていると共に、裏面には粘着層が形成されており、メガネの鼻当て部の表面に前記粘着層を用いて着脱自在に取り付け、メガネの安定的な装着の用に供するメガネの鼻当て部のクッション材。
【考案の詳細な説明】
【技術分野】
【０００１】
この考案はメガネフレームの付属部品、詳しくは、メガネの鼻当て部に取り付けるクッションに関する。
【背景技術】
【０００２】
メガネの鼻当て部は、一般的に硬質材料で作られているので、鼻の接触面の皮膚を強く押圧し、長時間の装用の際には皮膚に跡が付けてしまうことがあった。又、鼻当て部の表面と皮膚の間に汗が溜まり、この汗の層により滑りやすくなり、保持力が低下し、メガネがズレやすかった。
【先行技術文献】
【特許文献】
【０００３】
【特許文献１】なし
【非特許文献】
【０００４】
【非特許文献１】なし
【考案の概要】
【考案が解決しようとする課題】
【０００５】
この為、メガネの鼻当て部の表面に、図１乃至図３に示す様な略楕円形をなしたスポンジ状のクッション材８を、その裏面に形成されている粘着層４を利用して貼り付け、このクッション材８の弾性を利用して鼻の接触面への食い込みを軽減し、跡が残らない様にすると共にメガネのズレを防ぐ試みもなされているが、略楕円形をなしたクッション材８はスポンジ状の軟質合成樹脂のブロックを薄くシート状にスライスし、このシート状のものを抜き型で抜くことによって製造しており、図２及び図３に示す様に、その周縁６には角張ったナイフエッジ状の角７が形成されることは避けられず、メガネの鼻当て部に貼り付けた場合、周縁６のこのナイフエッジ状の角７が目立ち、装用感もあまり良くないので、市場においては不評で、ほとんど利用されていなかったのが現状である。
なお、図２は図１における長径Ａに沿って切断した切断面、図３は同じく短径Ｂに沿って切断した切断面である。
【０００６】
本考案者はメガネの鼻当て部のクッション材に関する上記問題点を解決せんと研究した結果、これら問題点を解消した新しいクッション材を開発することに成功し、本考案としてここに提案するものである。
【課題を解決するための手段】
【０００７】
スポンジ状の軟質樹脂を素材とし、長径が１２〜２０ｍｍ、短径が５〜１０ｍｍの略楕円形の平面形状をなし、長径方向の両端縁における肉厚が１〜２ｍｍ、長径方向中央の肉厚が１．２〜２．６ｍｍになる様に、長径方向の端縁から中央に向かって表面側が曲線状に盛り上がっていると共に、裏面には粘着層が形成されたメガネの鼻当て部のクッション材により、上記課題を解決した。
【考案の効果】
【０００８】
裏面に形成されている粘着層を用いてメガネの鼻当て部の表面に貼り付けて使用に供するものであるが、クッション材本体の長手方向の両端縁から中央に向かって表面側が曲線状に盛り上がっており、しかも長径方向の端縁の肉厚は１〜２ｍｍと極めて薄いので、メガネを装着した際の皮膚への接触圧は弾力性に富んだクッション材本体全体に分散され、接触感もマイルドで、長時間の装着によっても跡が付くことはない。
【０００９】
又、長径方向の両端縁の肉厚は１〜２ｍｍと極めて薄いので、ナイフエッジ状の角もほとんどなく、見た目も良く、鼻当て部に貼り付けた場合、外観上の違和感はなく、メガネ全体の外観上のバランスを崩すこともない。
更に、スポンジ状の素材を用いているので、汗をその内部に取り込み、汗によるメガネのずり落ちを防ぎ、メガネを安定的に保持させることが出来る効果を有する。
【図面の簡単な説明】
【００１０】
【図１】従来のメガネの鼻当て部のクッション材の一例の拡大平面図。
【図２】図１における長径Ａに沿って切断した拡大断面図。
【図３】同じく、短径Ｂに沿って切断した拡大断面図。
【図４】この考案に係るメガネの鼻当て部のクッション材の実施例１の拡大断面図。
【図５】図４における長径Ａに沿って切断した拡大断面図。
【図６】同じく、短径Ｂに沿って切断した拡大断面図。
【図７】図４に示したクッション材をメガネの鼻当て部に取付けた状態の斜視図。
【考案を実施するための形態】
【００１１】
メガネの鼻当て部に貼り付けるスポンジ状のクッション材の周縁の肉厚を薄くし、中央に向かって曲線状に盛り上がる様にした点に最大の特徴が存する。
【実施例】
【００１２】
図４はこの考案に係るメガネの鼻当て部材のクッション材の実施例１の拡大平面図、図５は図４における長径Ａに沿って切断した拡大断面図、図６は同じく、短径Ｂに沿って切断した拡大断面図である。
【００１３】
図中１はクッション材本体であり、ウレタン、ルビーセル、ニトリル・ブタジエン・ラバー（ＮＢＲ）などの合成樹脂や天然ゴム（ＮＲ）を原料としたスポンジ状の軟質樹脂を素材としており、長径Ａが１２〜２０ｍｍ、短径Ｂが５〜１０ｍｍの略楕円形の表面形状をなし、長径Ａ方向の両端縁２における肉厚Ｃが１〜２ｍｍ、長径Ａ方向中央３における肉厚Ｄが１．２〜２．６ｍｍになる様に、長径Ａ方向の両端縁２から中央３に向かって表面側が曲線状に盛り上がっている。又、この本体１の裏面には粘着層４が形成されている。
【００１４】
この実施例１は上記の通りの構成を有するものであり、図７に示す様に、粘着層４を用いてメガネの鼻当て部５の表面に貼り付けて使用に供するものであるが、クッション材本体１の長径Ａ方向の両端縁２から中央３に向かって表面側が曲線状に盛り上がっており、しかも長径Ａ方向の端縁２の肉厚は１〜２ｍｍと極めて薄いので、メガネを装着した際の皮膚への接触圧はクッション材本体１全体に分散され、接触感もマイルドで、長時間の装用によっても跡が付くことはない。
なお、図７に示すメガネはセルフレームメガネであるが、メタルフレームメガネの鼻当て部５に貼付しても良いことはもちろんである。
【００１５】
又、長径Ａ方向の両端縁の肉厚は１〜２ｍｍと極めて薄いので、ナイフエッジ状の角もほとんどなく、見た目も良く、鼻当て部５に貼り付けた場合、外観上の違和感はなく、メガネ全体の外観上のバランスを崩すこともない。
更に、スポンジ状の素材を用いているので、汗をその内部に取り込み、汗によるメガネのずり落ちを防ぎ、メガネを安定的に保持させることが出来る効果を有する。
なお、上記実施例１においては、曲線状の盛り上がりは、長径Ａ方向にのみ設けられているが、短径Ｂ方向にも同様な曲線状の盛り上がりを設けても良い。
【産業上の利用可能性】
【００１６】
セルフレームメガネやメタルフレームメガネをはじめ、サングラス、防塵メガネ、保護メガネなど、あらゆるメガネにおいて利用可能である。
【符号の説明】
【００１７】
１．クッション材
２．長径方向の端縁
３．長径方向の中央
４．粘着層
５．鼻当て部
６．周縁
７．角
８．クッション材
【図１】
0003202187.tif 000003
【図２】
0003202187.tif 000004
【図３】
0003202187.tif 000005
【図４】
0003202187.tif 000006
【図５】
0003202187.tif 000007
【図６】
0003202187.tif 000008
【図７】
0003202187.tif 000009